(57)【要約】本発明は、回転軸Ａを中心として回転駆動可能な回転台（４）を支持する台座（３）を含む、陶器（２）製作のための陶工用轆轤（１）に関し、この轆轤は、少なくとも一つの工具（８、８’）を用いて前記回転台（４）の回転軸Ａに対して直径方向に対向する手の力で前記陶器（２）に作業を行える手段を備えたガイド装置（５）を含むことを特徴とする。
2005531446.tif 000002
【特許請求の範囲】
【請求項１】
回転軸Ａを中心として回転駆動可能な回転台（４）を支持する台座（３）を含む、陶器（２）製作のための陶工用轆轤（１）において、少なくとも一つの工具（８、８’）を用いて、前記回転台（４）の回転軸Ａに対して直径方向に対向する手の力で前記陶器（２）に作業を行える手段を備えたガイド装置（５）を含むことを特徴とする陶工用轆轤。
【請求項２】
前記ガイド装置（５）が、前記回転台（４）の回転軸Ａにほぼ平行な軸を備えた少なくとも一つの部材（６、６’）と、工具（８、８’）の少なくとも一つのガイドアーム（７、７’）とから構成され、前記ガイドアーム（７、７’）が、前記部材（６、６'）に対して移動することを特徴とする特許請求の範囲第１項に記載の陶工用轆轤（１）。
【請求項３】
前記ガイド装置（５）が、相互接続される２個の部材（６、６’）からなるアーチ形の支持体（９）から構成されることを特徴とする特許請求の範囲第２項に記載の陶工用轆轤（１）。
【請求項４】
前記支持体（９）が、逆Ｕ字形の円筒形から構成されることを特徴とする特許請求の範囲第３項に記載の陶工用轆轤（１）。
【請求項５】
前記工具（８、８’）が、交換可能な作業面（１０、１０’）を有することを特徴とする特許請求の範囲第１項から第４項のいずれか一項に記載の陶工用轆轤（１）。
【請求項６】
前記工具（８、８’）が、握り（１２、１２’）を有することを特徴とする請求項１から５のいずれか一項に記載の陶工用轆轤（１）。
【請求項７】
前記握り（１２、１２’）が、作業面（１０、１０’）の反対面（１１、１１’）に配置されることを特徴とする特許請求の範囲第６項に記載の陶工用轆轤（１）。
【請求項８】
前記握り（１２、１２’）が、作業面（１０、１０’）に対して半径方向にオフセットされていることを特徴とする特許請求の範囲第６項に記載の陶工用轆轤（１）。
【請求項９】
前記台座（３）が、着脱式の水容器（１６）を収容可能なくりぬき（１５）を有することを特徴とする特許請求の範囲第１項から第８項のいずれか一項に記載の陶工用轆轤（１）。
【発明の詳細な説明】
【技術分野】
【０００１】
本発明は、「轆轤」と呼ばれる装置、特に子供による陶器製作のための轆轤を用いた陶器製作の分野に関する。
【０００２】
本発明は、特に、回転軸を中心として回転駆動可能な回転台を支持する台座からなる、陶器製作用の轆轤に関する。
【背景技術】
【０００３】
従来技術としては、既に、陶器製作のための陶工用轆轤が知られている。
【０００４】
特に、オーストラリア特許出願第１５０３４７７号明細書に記載された装置が存在する。このシステムは、単一工具の圧力により土塊を中心に位置決めできる。この工具は、アームに沿って移動する。アームは、アームの延長線上に配置された握りによりすべての方向に配向可能である。この種のシステムの長所は、初心者にとって非常に難しい操作である土の心合わせを容易にすることにある。
【０００５】
このシステムは、土塊の心合わせが可能であるが、陶器に固有の形状を与えて陶器の外面に凹凸の装飾を施すことができる厳密な意味での陶器製作を実施できない。
【０００６】
しかも、この装置は、１個の心合わせアームを含むだけである。従って、小さい物体の造形には適さない。事実、この場合、土塊は小型であり、回転台から剥がすことが容易ではない。
【０００７】
さらに、この装置は、陶工が通常は素手で行う動作をまねる場合、ユーザを適切にガイドできないので、陶工職人の技術を容易に習得することができない。  
【０００８】
従来技術としては、また、回転軸を中心として回転駆動可能なテーブル（２）を含む中央穿孔轆轤を記載した、独国特許出願公開第３４１８０６７号明細書が知られている。この装置は、テーブル（２）の回転軸に平行な軸に取り付けられて陶器の中心を穿孔可能な穿孔リング（６）を備えている。
【０００９】
この装置は、さらに、塊（３）を心合わせするために支持可能な固定心合わせエッジ（４）を含む。
【００１０】
穿孔リング（６）は、回転軸に垂直に移動するので、陶工による外側部分の製作を必ずしも補助できるわけではない。
【００１１】
従来技術としては、また、陶器装飾用の轆轤を記載した英国特許出願第１６０３７０８号明細書が知られている。
【００１２】
この轆轤は、回転軸を中心として回転駆動可能なテーブル（６）を備える。
【００１３】
さらに、端に尖端を有する単一アーム（１７）を含んでおり、テーブル（６）の回転軸に平行な軸に沿った回転によりテーブル（６）の上を走査するようにアームを駆動可能である。
【００１４】
この轆轤は、従来の製作と同じ仕方で製作時の応力を及ぼすことが全くできない。
【００１５】
従来技術としては、さらに、回転軸を中心として回転駆動可能な回転台（２２）を支持する台座（２３）を含むタイプの、陶器（１０）の製作用の陶工用轆轤を記載した、米国特許第５０４７１９４号が知られている。
【００１６】
この轆轤は、様々な方向に移動する製作工具（２４）を備えており、その突出管（２８）が、水流（３５）を噴射する噴射ノズル（３６）を末端に備える。
【００１７】
そのため、製作は従来のように手の力では行われず、水の噴射により行われる。
【発明の開示】
【発明が解決しようとする課題】
【００１８】
本発明は、特に小型陶器の製作のために、製作手ぶりの習得を促すガイド装置を備えた轆轤を提案することにより、従来技術の様々な不都合を改善しようとするものである。この轆轤は、限定的ではないが特に、子供が陶器製作を習得するための轆轤である。
【課題を解決するための手段】
【００１９】
本発明は、回転軸を中心として回転駆動可能な回転台を支持する台座を含む、陶器製作のための陶工用轆轤にからなり、この轆轤は、前記回転台の回転軸に対して直径方向に対向する手の力で前記陶器に作業を行える手段を備えたガイド装置を含むことを特徴とする。
【００２０】
好適な実施形態によれば、ガイド装置は、前記回転台の回転軸にほぼ平行な軸を備えた少なくとも一つの部材と、工具の少なくとも一つのガイドアームとから構成され、前記ガイドアームが、前記部材に対して移動する。
【００２１】
好適には、ガイド装置が、相互接続される２個の部材からなるアーチ形の支持体から構成される。
【００２２】
有利な変形実施形態によれば、支持体が、逆Ｕ字形の円筒形から構成される。
【００２３】
有利には、一つまたは複数の工具が、交換可能な作業面を有する。
【００２４】
好適には、各工具が握りを有する。
【００２５】
実施形態によれば、前記握りが、工具の作業面の反対面に配置される。
【００２６】
別の実施形態によれば、前記握りが、工具の作業面に対して半径方向にオフセットされている。
【００２７】
有利な変形実施形態によれば、台座が、着脱式の水容器を収容可能なくりぬきを有することにより、製作に使う水を集めてこの水をずっと容易に排出できる。
【００２８】
添付図面に関して単なる説明として行った本発明の実施形態の記載から、この発明がいっそう理解されるであろう。
【発明を実施するための最良の形態】
【００２９】
図１に示した本発明による陶工用轆轤（１）は、台座（３）を含むタイプであり、台座（３）により支持される回転台（４）を、回転軸Ａを中心として回転駆動可能な電動機を含む。
【００３０】
好適には、回転する陶器を支持する円形テーブル、すなわち回転台（４）の下に皿を配置し、回転台周辺に排出される液体を回収する。テーブルは、また、この皿に通じる穴があけられている。皿に回収される液体は、その後、水容器（１６）に流れ込む。
【００３１】
本発明による陶工用轆轤（１）は、前記回転台（４）の回転軸Ａに対して直径方向に対向する手の力で前記陶器（２）に作業を行える手段を備えたガイド装置（５）を含むことを特徴とする。
【００３２】
陶器の製作および心合わせ作業は、ガイドアームを横に接近させることによって行われる。このようにして、工具は、陶器に圧力を及ぼすので、陶器の成形をずっと容易に実施可能であり、外面への跡付けにより陶器を装飾可能である。
【００３３】
基本的な実施形態によれば、ガイド装置は、前記回転台（４）の回転軸Ａに好適にはほぼ平行な軸を有する少なくとも一つの垂直部材（６、６’）と、少なくとも一つのアーム（７、７’）で好適には２本のガイドアーム（７、７’）とから構成されて、工具（８、８’）をそれぞれガイドし、前記一つまたは複数のガイドアーム（７、７’）が、前記一つまたは複数の部材（６、６'）に対して移動する。
【００３４】
好適な変形実施形態によれば、一つまたは複数のガイドアーム（７、７’）が、たとえば係止により一つまたは複数の部材（６、６’）に着脱式に固定される。
【００３５】
同様に、たとえばレールシステムにより、前記回転台（４）の回転軸Ａに対して直径方向に対向する半径方向の運動に従って工具を並進可能にするガイド手段を設けることができる。
【００３６】
実施形態によれば、ガイド装置（５）は、相互接続される２個の部材（６、６’）からなるアーチ形の支持体（９）から構成され、この支持体上を１個または２個のアーム（７、７’）が移動する。
【００３７】
好適には、ガイド装置が、回転台（４）の回転軸Ａを通る面に沿って直径方向に対向して配置された２個の部材から構成される。
【００３８】
図２に示した好適な変形実施形態では、ガイド装置（５）が、逆Ｕ字形の円筒形のアーチから構成される。このアーチを構成する２個の部材は、それぞれ断面が円形であり、軸が、前記回転台の回転軸Ａにほぼ平行である。工具（８、８’）の１個または２個のガイドアーム（７、７’）は、このアーチで移動する。
【００３９】
各アーム（７、７’）は、部材（６、６'）を中心として、この部材の垂直軸に沿って回転運動を実施でき、それによって陶器の形状をかたちづくり、その直径を調整することができる。
【００４０】
各アーム（７、７’）は、また、部材（６、６’）に沿って垂直移動可能であるので、製作物の高さを調整できる。
【００４１】
有利な変形実施形態によれば、ガイドアーム（７、７’）は、また、２個の部材（６、６’）を結合するアーチの湾曲上部に配置可能であり、それによって陶器の上部を加工できる。
【００４２】
好適な実施形態によれば、アーチが、アームを支持して個々の値に高さ調整可能にするノッチを有する。
【００４３】
有利には、工具（８、８’）が、図３に示したように、工具（８、８’）にたとえば係止により着脱式に固定された交換可能な作業面（１０、１０'）を有する。従って、ユーザは、製造中、陶器の心合わせ、製作、または装飾等の、実施を望む作業に合わせて様々な工具を使用できる。
【００４４】
さらに、工具（８、８’）は、握り（１２、１２’）を有する。実施形態によれば、この握り（１２、１２’）は、作業面（１０、１０’）に対向する面（１１、１１’）に配置される。そのため、ユーザは、工具後方に平らに手を置いて、陶工が素手で実施する動作を真似ることができる。
【００４５】
図１に示した工具の別の実施形態によれば、握り（１２、１２’）は、作業面（１０、１０’）に対して軸Ａを中心として半径方向にオフセットされている。このタイプの握りにより、ユーザは、陶器の各側にずっと強い力を及ぼすことができる。
【００４６】
この別の実施形態では、握り（１２、１２’）が、たとえばＴ字形である。
【００４７】
台座（３）は、プラスチック製であり、工具をアラインメントできる穴があけられている。台座は、図４に示された着脱式の水容器（１６）を収容可能にするくりぬき（１５）を有する。
【００４８】
以上、本発明について、例を挙げて説明した。当業者が、本特許発明の範囲を逸脱することなく、この発明の様々な変形実施形態を実施できることはいうまでもない。
【図面の簡単な説明】
【００４９】
【図１】本発明による陶工用轆轤の斜視図である。
【図２】ガイド装置の好適な変形実施形態の詳細図である。
【図３】交換可能な作業面を備えた工具の詳細図である。
【図４】着脱式の水容器を示す詳細図である。
【符号の説明】
【００５０】
１            陶工用轆轤
２            陶器
３            台座
４            回転台
５            ガイド装置
６、６’      部材
７、７’      ガイドアーム
８、８’      工具
１０、１０’  作業面
１１、１１’  作業面の反対面
１２、１２’  握り
１５          くりぬき
１６          水容器
【図１】
2005531446.tif 000003
【図２】
2005531446.tif 000004
【図３】
2005531446.tif 000005
【図４】
2005531446.tif 000006
【国際調査報告】
2005531446.tif 000007
2005531446.tif 000008
2005531446.tif 000009
2005531446.tif 000010
2005531446.tif 000011
2005531446.tif 000012